(57)【要約】【課題】  水槽などのスペースが非常に狭く、寸法上の制約があるような電場での電位の測定を行うことが可能な電界センサを提供する。【解決手段】  電界センサ１は、分離して構成された一対の液導入部２と一対の電極部３とを備え、液導入部２と電極部３が水路部４で互いに接続されている。液導入部２はフィルタ２０と内部液７を有し、電極部３は電極３０と内部液７を有する。水路部４の内部には、液導入部２及び電極部３内と同じ内部液７が封入されている。水槽などのスペースが非常に狭く、寸法上の制約があるような電場５０には、液導入部２だけが設置され、電極部３は電場５０の外部に設置されるとともに、例えば別途設置された記録器６０にリード線６１により接続される。【選択図】      図１
0003115831.tif 000002
【実用新案登録請求の範囲】
【請求項１】
外部の液体を内部に導く液導入部と、この液導入部より導入された液体に接触する電極を有する電極部とを備える電界センサにおいて、
前記液導入部及び電極部は、分離して構成され、互いに液路部で接続されてなることを特徴とする電界センサ。
【請求項２】
前記液導入部は、液体を導入する際に通過させるフィルタを有することを特徴とする請求項１記載の電界センサ。
【請求項３】
Ｘ軸、Ｙ軸、Ｚ軸の３軸方向の電位を測定する場合、前記フィルタは、前記液導入部としての矩形６面体の各面にそれぞれ１つずつ設けられることを特徴とする請求項２記載の電界センサ。
【考案の詳細な説明】
【技術分野】
【０００１】
本考案は、液中の微小電位を測定する場合に使用する電界センサに関する。
【背景技術】
【０００２】
水中での２点間の電位を測定するために、２個の電極を水中に入れ、電極間の微小電位差を測定する技術がある。このような電極として、電極本体を支持用絶縁体の表面に固定して一体的に構成した照合電極がある（例えば、特許文献１参照）。
【特許文献１】特開平９−６１３９５号公報
【考案の開示】
【考案が解決しようとする課題】
【０００３】
特許文献１に記載された照合電極は、支持用絶縁体の裏側に取付金具が突設され、取付金具から接続用絶縁電線が導出された構造であるため、例えば水槽などのスペースが非常に狭く、寸法上の制約があるような電場での電位の測定を行うことができない場合がある。
【０００４】
この考案は、そのような問題点に着目してなされたもので、水槽などのスペースが非常に狭く、寸法上の制約があるような電場での電位の測定を行うことが可能な電界センサを提供することを目的とする。
【課題を解決するための手段】
【０００５】
前記目的を達成するために、本考案の電界センサは、外部の液体を内部に導く液導入部と、この液導入部より導入された液体に接触する電極を有する電極部とを備えるものにおいて、前記液導入部及び電極部は、分離して構成され、互いに液路部で接続されてなることを特徴とする。
【０００６】
この電界センサでは、液導入部と電極部が分離して構成されているので、電位を測定する電場に液導入部と電極部を一緒に配置する必要がない。つまり、液導入部と電極部は液路部で接続されているので、電場には液導入部のみを配置し、電極部は電場から離れた場所（液導入部から離れた場所）に配置することができる。
【０００７】
この電界センサにおいて、液導入部は外部の液体（湖水、海水など）を内部に導入できるのであれば特定されず、例えば容器状のものでも構わない。但し、導入する液体が例えば水の場合は清水であれば、そのまま導入しても問題ないが、濁水であったり異物が混入したりしている可能性がある場合には、液導入部は液体を導入する際に通過させるフィルタを有することが好ましい。
【考案の効果】
【０００８】
本考案によれば、液導入部と電極部が分離して構成されているので、両者を一体に構成した場合に比べて、例えば水槽などの設置スペースが非常に狭く、寸法上の制約があるような場所（電場）に電界センサを設置して、その電場での電位の測定を行うことができる。つまり、電場には液導入部だけを配置し、電極部は電場から離れた場所に配置する、といった設置の仕方が可能となる。
【考案を実施するための最良の形態】
【０００９】
以下、本考案を実施の形態に基づいて説明する。
【００１０】
実施形態に係る電界センサの構成図を図１に示す。この電界センサ１は、分離して構成された一対の液導入部２と一対の電極部３とを備え、液導入部２と電極部３が水路部（液路部）４で互いに接続されている。液導入部２はフィルタ２０と内部液７を有し、電極部３は電極３０と内部液７を有する。また、水路部４の内部には、液導入部２及び電極部３内と同じ内部液７が封入されている。ここでは、液導入部２は電場５０に設置され、電極部３は電場５０の外部に設置されるとともに、例えば別途設置された記録器６０にリード線６１により接続されている。
【００１１】
この電界センサ１によれば、液導入部２と電極部３が分離して構成されているので、例えば水槽などの設置スペースが非常に狭く、寸法上の制約があるような電場５０に対しては、電場５０の内部に電界センサ１の液導入部２のみを設置し、電極部３は電場５０の外部に設置することで、その電場５０での電位の測定を行うことができる。
【００１２】
上記のように構成した電界センサ１を用いてＸ軸、Ｙ軸、Ｚ軸の３軸方向の電位測定を行う場合には、例えば図２に示すように、海水５１が入った水槽などの設置スペースが非常に狭く、寸法上の制約があるような電場５０の内部に液導入部２を設置し、電場５０の外部に電極部３を設置する。ここでは、電場５０の内部に液導入部２に接続された水路部４１が配置され、この水路部４１にエルボ４３によって水路部４２が連結され、水路部４２がエルボ４３によって電極部３に接続されている。
【００１３】
液導入部２は、その外観斜視図を図３に示すように、空洞の矩形６面体２５の各面に円形開口２６が形成されている。すなわち、円形開口２６はＸ軸、Ｙ軸、Ｚ軸方向の相対する各一対の面にそれぞれ形成されている。要部拡大断面図を示す図４において、フィルタ２０Ｘ１，Ｘ２，Ｙ１，Ｙ２，Ｚ１，Ｚ２は、それぞれ円形開口２６を覆うように矩形６面体２５の内面に取り付けられている。勿論、フィルタ２０Ｘ１，Ｘ２はＸ軸方向、フィルタ２０Ｙ１，Ｙ２はＹ軸方向、フィルタ２０Ｚ１，Ｚ２はＺ軸方向に並んでいる。
【００１４】
各フィルタ２０（Ｘ１〜Ｚ２）には、内部液７を封入した水路部４１が付設されている。ここでは、Ｘ軸、Ｙ軸、Ｚ軸方向にそれぞれ一対（全部で６個）のフィルタ２０が設けられているので、これに応じて電極部３は６個の電極部３ａ，３ｂ，３ｃ，３ｄ，３ｅ，３ｆからなる。各電極部３（ａ〜ｆ）は、エルボ４３によって水路部４２に接続されるとともに電極３０を有し、水路部４１と同じ内部液７が封入されている。また、各電極部３（ａ〜ｆ）は、リード線６１によって記録器６０に接続されている。
【００１５】
この構成によれば、Ｘ軸、Ｙ軸、Ｚ軸の３軸方向の電位差を、それぞれ２個のフィルタ２０（２０Ｘ１,Ｘ２、２０Ｙ１,Ｙ２、２０Ｚ１,Ｚ２）と２個の電極部３（３ａ，３ｂ、３ｃ，３ｄ、３ｅ，３ｆ）によって測定することで、Ｘ軸、Ｙ軸、Ｚ軸の３軸方向の電位を測定することができる。
【００１６】
上記測定例は、Ｘ軸、Ｙ軸、Ｚ軸の３軸方向の電位測定を行う場合であるが、１軸方向の場合は一対の液導入部２と一対の電極部３があればよく、２軸方向の場合は二対の液導入部２と二対の電極部３があればよい。また、液導入部２はフィルタ２０を有するが、前述したように、フィルタ２０は上記実施形態では海水が綺麗であれば必ずしも必要でない。
【図面の簡単な説明】
【００１７】
【図１】実施形態に係る電界センサの構成図である。
【図２】同電界センサの設置例を説明する構成図である。
【図３】図２の構成図における液導入部の外観斜視図である。
【図４】図３の液導入部の要部拡大断面図である。
【符号の説明】
【００１８】
１      電界センサ
２      液導入部
３      電極部
４      水路部（液路部）
７      内部液
２０    フィルタ
２５    矩形６面体
２６    円形開口
３０    電極
５０    電場
６０    記録器
【図１】
0003115831.tif 000003
【図２】
0003115831.tif 000004
【図３】
0003115831.tif 000005
【図４】
0003115831.tif 000006